(57)【要約】【課題】建物の躯体壁などの耐震強度を低下さることなく、室内空間の自然通風または強制通風による換気を可能とする換気用通風装置を提供する。【解決手段】躯体壁Ｂなどに設けられる内外流通部ｂに装着枠体１内に、枠内の略全域を埋め尽くすように配設される多数の通風孔２を備えている通風構造体３を配設し、この通風構造体３の全ての通風孔２を閉鎖するように開閉扉５を備えて構成している。そして、通風構造体３は、ハニカムコアの構造材によって形成されて多数の通風孔２を備えている。【選択図】図１
2008232608.tif 000002
【特許請求の範囲】
【請求項１】
建物の躯体壁などに設けられる内外流通部に装着される枠体と、
この枠体内の略全域を埋め尽くすように配設される多数の通風孔を備えている通風構造体と、を備えて構成されていることを特徴とする換気用通風装置。
【請求項２】
前記通風構造体の前記全ての通風孔の少なくとも開口一方側を閉鎖するように開閉扉を備えていることを特徴とする請求項１に記載の換気用通風装置。
【請求項３】
前記通風構造体は、ハニカムコアの構造材により形成された前記通風孔を備えていることを特徴とする請求項１または請求項２に記載の換気用通風装置。
【請求項４】
前記通風構造体は、多数の筒体を略千鳥状に隣り合わせて結合させてなる筒結合構造材により形成された前記通風孔を備えていることを特徴とする請求項１または請求項２に記載の換気用通風装置。
【請求項５】
前記通風構造体の全ての通風孔を覆うように、防虫・防水のための網部材を備えていることを特徴とする請求項１から請求項４のいずれか１項に記載の換気用通風装置。
【請求項６】
前記開閉扉は、前記全ての通風孔の開口両側をそれぞれ閉鎖するように、かつ、扉開閉連動機構を介して備えられ、
一方側の開閉扉を開閉させたとき、もう一方側の開閉扉が連動して開閉するように構成されていることを特徴とする請求項１から請求項５のいずれか１項に記載の換気用通風装置。
【請求項７】
前記扉開閉連繋機構は、開閉駆動機を備え、この開閉駆動機によって前記両側の開閉扉が開閉連動するように構成されていることを特徴とする請求項６に記載の換気用通風装置。
【請求項８】
前記通風構造体は、前記通風孔を通して強制換気を行うための送風機を備えていることを特徴とする請求項１から請求項７のいずれか１項に記載の換気用通風装置。
【発明の詳細な説明】
【技術分野】
【０００１】
本発明は、建物などにおける室内空間の自然換気設備として、または、強制換気設備として、建物の外壁や室内空間を仕切るための間仕切壁などの躯体壁、そして、玄関扉などの出入り扉、さらに、窓框、窓枠、ガラス張り柱などの建材に取り付けられて使用される換気用通風装置に関する。
【背景技術】
【０００２】
建物の高気密化・高断熱化が進む中、健康面などからも換気の必要性が見直しされてきている。建物が高気密で高断熱になればなるほど、自然換気が行われないものとなる。
そのために、例えば、建材や内装材などから放散される化学物質で、室内が汚染されて体調を壊す症状に悩む。所謂、シックハウス症候群（化学物質過敏症）に悩む人が後を絶えない近年において、建物の高気密化・高断熱化が進む中、室内の換気について関心が高まってきている。
【０００３】
そこで、建物の高気密化・高断熱化に伴う建物内の換気の必要性に鑑みて、例えば、特許文献１および特許文献２などにおいて、室内を換気するための通風装置が提案されている。
【０００４】
特許文献１に開示されている通風装置は、建物の躯体壁である外壁に、屋内と屋外を連通させるための内外流通部（貫通孔）を設けて、この内外流通部に通風筒体を装着している。そして、通風筒体の屋外側開口にガラリ開口部を備えているとともに、このガラリ開口部の上方には風雨の浸入を防ぐためのガラリ遮閉板部を有するガラリ部材を備えている。
また、通風装置は、ガラリ部材の外周において壁面に固定されるフランジ付筒部を備えているとともに、このフランジ付筒部に取り付けられてガラリ部材の前面を覆うための防風板を備え、さらに、通風筒体の室内側に取り付けられ、ダクトとの接続が行われる接続開口部を有する筒本体側板とを備えて構成されている。
これにより、風雨などの浸入を防止し、風路の圧力損失を抑えて室内空間の換気をスムーズに行うことができるように構成されている。
【特許文献１】特開平１０−３０６９３１号公報（段落番号００１３〜００１４、００２９、および図１、図４参照）
【特許文献２】特開平１０−２６３８３号公報（段落番号００３２、００４４、および図２、図３参照）
【発明の開示】
【発明が解決しようとする課題】
【０００５】
しかしながら、特許文献１および特許文献２に開示されている通風装置は、屋外と屋内（室内空間）とを流通させるように建物の躯体壁などに開口される内外流通部に対する取り付けは、内外流通部孔との間などに広い空洞が存在する。また、通風装置自体においても通風孔の開口面積に相当する程度の大きな通風口（開口）を備えている。
つまり、通風装置が取り付けられる躯体壁などには、通風装置自体の大きな通風口を含めた躯体壁などの内外流通部（通風孔）との間には埋められずに残る広い空洞などが存在することとなる。これにより、躯体壁を含めて建物に求められる耐震強度などの低下を引き起こすおそれがある。
【０００６】
そこで、本願発明者は、長年にわたりこれらの問題を解消するために研究を重ねてきた結果、大きな開口（内外流通部）にて室内空間の換気を行うのではなく、口径が小さく多数の通風孔群の集合によって換気に必要とする大きさの開口面積を確保することに着目し、本発明に至ったものであり、その目的とする処は、風雨などの浸入を防ぐことは勿論、建物の躯体壁などの耐震強度を低下さることなく、室内空間の換気に必要とする開口面積を確保することができ、しかも、自然通風または強制通風による室内換気を可能とする換気用通風装置を提供することにある。
【課題を解決するための手段】
【０００７】
前記課題を解決するために本発明では、建物の躯体壁などに設けられる内外流通部に装着される枠体と、この枠体内の略全域を埋め尽くすように配設される多数の通風孔を備えている通風構造体とを備えて構成されていることを特徴とする。
ここで、前記内外流通部は、躯体壁のほかに、建物の窓框、窓枠、ガラス張りされた壁面のガラス支持柱、そして玄関扉などの通風を必要とする場所に設けることができる。
【０００８】
そして、本発明では、前記通風構造体の前記全ての通風孔の少なくとも開口一方側を閉鎖するように開閉扉を備えていることが好適なものである。
また、前記通風構造体は、ハニカムコアの構造材、または、多数の筒体を略千鳥状に隣り合わせて結合させてなる筒結合構造材を用いて、前記枠体内を埋め尽くす前記通風孔を備えるように形成することが好適なものとなる。そして、前記多数の筒体としては、円形、四角形、或いは正六角などの多角形を挙げることができる。
【０００９】
また、本発明では、前記通風構造体の全ての通風孔を覆うように、防虫・防水のための網部材を備えていることが好適なものとなる。
さらに、前記開閉扉は、前記全ての通風孔の開口両側を閉鎖するように、かつ、扉開閉連動機構を介して備えられ、一方側の開閉扉を開閉させたときに、もう一方側の開閉扉が連動して開閉するように構成されていることが好適なものとなる。この場合、電動モータや電動アクチュエータなどの開閉駆動機を用いて、開閉扉を電動方式で開閉させるようにすることがより好適なものとなる。
【００１０】
さらにまた、本発明では、前記通風構造体に、前記通風孔を通して給気と排気との強制排気を行うための送風機を備えることが好適なものとなる。
この場合、前記送風機を、上下左右方向において隣接して開口する通風孔群の孔区画壁の交差点（交差部）に位置させて取り付けることが好適なものとなる。これにより、交差点を中心とする周りにおいて開口する数ヶ所の通風孔による強制換気を、一ヶ所の送風機で行うことができる。
【発明の効果】
【００１１】
本発明の換気用通風装置は、以上のように、建物の躯体壁などに設けられる内外流通部（開口部）を、この内外流通部に嵌め込まれるように取り付けられる枠体と、この枠体内を完全に埋め尽くすように多数の通風孔を備えている通風構造体とにより構成されている。
つまり、通風装置を取り付けるための躯体壁や窓框、窓枠などに設けられる内外流通部は、枠体と通風構造体とによって大きな空洞などを存在させないように開口全域にわたり埋め尽くされる。これにより、内外流通部（開口部）が設けられる躯体壁や窓框、窓枠などの耐震強度を低下させるおそれはなく、通風構造体に備えられている多数の通風孔を通して室内空間を自然換気または強制換気することができる。
しかも、枠体内を埋め尽くすように備えられている通風構造体の全ての通風孔を閉鎖するように開閉扉を備えていることで、強風などによる風雨などの室内への浸入を防ぐことができる。
【００１２】
また、通風構造体は、ハニカムコアの構造材や多数の筒体を略千鳥状に結合させてなる筒結合構造材により形成された前記通風孔を備えている。これにより、建物の躯体壁などに設けられる内外流通部に取り付けられる枠体内に、枠内を埋め尽くすように多数の通風孔を簡単に備えることができる。つまり、多数の通風孔によって換気に必要とする開口面積を備えた換気用通風装置を簡単に製作することができる。
【００１３】
さらに、通風孔の両面開口を閉鎖するように備えられる内外両側の開閉扉を、扉開閉連動機構を介して連繋させて、一方側の開閉扉を開閉させる動作によって、もう一方側の開閉扉を連動させて開閉させることができる。
例えば、２階の室内空間の躯体壁などに通風装置が取り付けられている場合などにおいて、室内側の開閉扉を開閉させることで、外側の開閉扉をも開閉させることができる。加えて、内外両側の開閉扉によって、建物内の高気密化・高断熱化が保たれる。
【００１４】
また、通風構造体に送風機を備えることによって、通風構造体の各通風孔を通して室内空間の給気と排気とを強制的に行う強制換気設備として、建物の躯体壁などに取り付けて使用することができる。
【００１５】
このように、本発明によれば、内外流通部が設けられる建物の躯体壁、玄関扉、窓框、窓枠、そしてガラス張りされた壁面のガラス支持柱などの耐震強度（剛性）を低下させることなく、自然換気、強制換気を可能とすることができることで、エコーエネルギーの活用、そして隙間風原理の応用などに有効な換気用通風装置を提供することができる。
【発明を実施するための最良の形態】
【００１６】
以下、本発明の実施形態について、適宜図面を参照しながら詳細に説明する。
なお、本実施形態における図１〜図１１では建物の躯体壁に設けられる内外流通部に取り付けられる換気用通風装置の形態、そして図１２および図１３では建物のガラス張りされた壁面のガラス支持柱に設けられる内外流通部に取り付けられる換気用通風装置の形態についてそれぞれ説明するが、これらに限らず、玄関扉や各部屋の出入り扉、さらには窓框、窓枠などに通風装置を取り付けるなどによって、室内空間の自然換気設備として、または、強制換気設備として使用することができる。
【００１７】
［第1の実施形態の説明］
図１は、建物の躯体壁に開口される通風孔に取り付けられる第１の実施形態に係る換気用通風装置を示す横断平面図であり、図２は、同通風装置を分解した状態を示す斜視図であり、図３は、同通風装置を構成する通風構造体の枠体に対する取付け状態を示す要部の拡大斜視図である。
【００１８】
≪通風装置の構成≫
通風装置Ａ-1は、図１に示すように、建物の躯体壁Ｂに設けられる内外流通部ｂに取り付けられる枠体１を備え、この枠体１内に通風孔２を有する通風構造体３を装着するとともに、この通風構造体３の内外両面には網部材４を取り外し可能にそれぞれ備えている。
また、通風装置Ａ−１は、通風構造体３の通風孔２からの風雨などの浸入を防ぐための観音開き方式の開閉扉５を、枠体１の両面開口にそれぞれ備えている。
【００１９】
≪枠体の構成≫
枠体１は、建物の窓などの開口部に取り付けられる窓枠サッシなどと同じくアルミ材や合成樹脂材などの所望な押出し成形材料によって成形される型材を用いて、躯体壁Ｂの内外流通部ｂ内に嵌め合わせによって装着することができるように、内外流通部ｂの開口と同じ程度の大きさを有する略矩形形状に形成されている。
【００２０】
なお、図示を省略しているが、枠体１は、各枠辺型材１ａ,１ｂの外側に内外流通部ｂの開口縁や開口内周面などにネジ止めなどに取り付けるための外向きフランジなどが一体に備えている。
【００２１】
また、枠体１は、各枠辺型材１ａ，１ｂの内側に内向きフランジ６を備えている。この内向きフランジ６は、図１および図２に示すように、枠体１の両面方向（躯体壁Ｂの厚さ方向）において適宜の間隔をおいた内向きの２列に突出するように一体に備えられている。これにより、通風構造体３の後記する嵌合部７が嵌め込み定着されるようにしている。
【００２２】
なお、図示を省略しているが、通風構造体３を枠体１内に組み込むために、枠体１の各枠辺型材１ａ,１ｂのうち、例えば上辺側の枠辺型材１ａのみをネジ止めなどにより後付けすることができるように、または、枠体１を幅方向の中心部位において縦割りに分離可能としてネジ止めや嵌め込み方式などによって連結し得るに構成することが好適なものとなる。
【００２３】
≪通風構造体の構成≫
通風構造体３は、アルミ材や合成樹脂材などの所望な成形材料から成形されているハニカムコアの構造材を用いて枠体１内に収まる程度の大きさに形成されて多数の通風孔２を備えている。
これにより、通風構造体３は、図１および図２に示すように、略正六角形を呈する開口形状の多数の通風孔２を、枠体１内を略全域にわたり略千鳥状に配設するように形成される。
【００２４】
また、通風構造体３は、各辺外周に環状に突出させた嵌合部７を備えている。この嵌合部７は、図２に示すように、多数の通風孔２が開口している通風構造体３の両面よりも一段ほどそれぞれ低く、枠体１の内向きフランジ６の内向き突出高さにて切断（カット）されることにより、通風構造体３の各辺外周に環状に形成されている。
これにより、図１および図３に示すように、通風構造体３の嵌合部７を枠体１の２列の内向きフランジ６の間に嵌着されるように収めることによって、通風構造体３を枠体１内に定着することができるようにしている。
ちなみに、通風孔２の大きさ（セル寸法）としては特に限定されるものではないが、手が入るのを防ぐなどの防犯上を考慮するならば、例えば、セル寸法で１０ｍｍ〜４５ｍｍ程度の範囲に設定することが好適なものとなる。
【００２５】
≪通風構造体の他の実施形態の構成≫
図４は、通風構造体の他の実施形態を示す斜視図である。
図４に示す通風構造体３０は、多数の筒体９の外周面などを接着やその他の結合手段などによって結合し、枠体１内の略全域を埋め尽くすように、なおかつ、ハニカム状（千鳥状）に隣り合うように筒体９を結合させてなる筒結合構造材３０ａを用いて形成されている。
これにより、通風構造体３０には、枠体１内の略全域を埋め尽くすように配設（点在）させた多数の筒体９によって開口される多数の通風孔２が備えられるようしている。
なお、筒体９の形状としては、円形、四角形、或いは正六角などの多角形を挙げることができる。
【００２６】
≪網部材の構成≫
網部材４は、窓などの開口部において一般的に使用されている網戸などと同じく、化学繊維などに網素材によって形成されている。網部材４は、図１および図２に示すように、枠体１の２列に並ぶ内向きフランジ６のそれぞれの外側に沿って宛がわれるように形成されており、周囲各辺には縁部を備えている。
これにより、網部材４の枠体１に対する着脱性を良好とし、なおかつ、網面が弛まないように張架（緊張）させるようにしている。
また、網部材４は、雨の浸入を防ぐように、簡易防水機能を備えている。
【００２７】
≪開閉扉の構成≫
開閉扉５は、アルミ材やその他の所望な材料などから板形状に、または、ガラスなどが備えられるように格子枠状に形成されている。そして、開閉扉５は、図１および図２に示すように、枠体１の両面をそれぞれ観音開き状に開閉するように、ピン８などの枢着手段によって枠体１の上下の枠辺型材１aに取り付けられるように形成されている。
【００２８】
［作用説明］
次に、以上のように構成されている第１の実施形態に係る通風装置について簡単に説明する。
通風装置は、図１に示すように、躯体壁Ｂに設けられる内外流通部bに嵌め込まれるように装着される。これにより、枠体1の両面（通風孔２の内外開口）を閉鎖している開閉扉５を開くことで（二点鎖線の状態）、室内空間は、枠体１内の略全域において千鳥状に配設（点在）されている通風孔２群を通して自然換気が行われる。
そして、強風などの影響で、通風孔２群から風雨などが室内空間に侵入する場合には、内外両側（両面）の開閉扉５を閉じることによって防ぐことができる。
【００２９】
このように、第１の実施形態に係る通風装置Ａ−１によれば、躯体壁Ｂの内外流通部（開口部）ｂに装着される枠体１内の開口略全域を埋め尽くすように配設されている通風孔２群を通して室内空間の自然換気が行われるように構成されている。つまり、躯体壁Ｂの内外流通部ｂは、枠体１と通風構造体３とによって大きな空洞（開口部）などを存在させないように塞がれる。
これにより、躯体壁Ｂの耐震強度を低下させるおそれはなく、通風構造体３に備えられている多数の通風孔２群を通して室内空間の自然換気を行うことができる。
【００３０】
≪開閉扉の他の実施形態の構成≫
図５は、第１の実施形態に係る換気用通風装置において、開閉扉の他の実施形態を示す横断平面図である。
この実施形態では、図５に示すように、枠体１の両面にそれぞれ備えられる前記の開閉扉５を、観音開き方式と折畳み方式とを組み合わせた構成とした以外の他の構成要素においては前記した構成要素と基本的に同じことから同じ構成要素に同じ符号を付することにより説明は省略する。
つまり、観音開き方式で、なおかつ、折畳み方式とする開閉扉５−１は、図５に示すように、それぞれ幅方向において、縦方向に２分割された大きさに形成されている。そして、縦に伸びる分割部が蝶番などのヒンジ部材１０によって接続されることにより、それぞれの分割扉部５−１ａ，５−２ｂを折畳み可能としている。
【００３１】
このように構成されて枠体１の両面にそれぞれ備えられる開閉扉５−１は、図５に示すように、開いたときに、室内側（紙面上側）、そして外側（紙面下側）への飛び出しを抑えることができる。
この場合、図示を省略しているが、枠体１の上下枠辺型材１ａの内側に、溝や突条のガイド部が備えられている。そして、開閉扉５−１をそれぞれ折畳み可能に構成する分割扉部５−１ａ，５−２ｂのうち、分割扉部５−１ｂの突合せ側における上下の扉縁辺部側に、ガイド部に沿って転動するように移動するコロからなる転動輪などが備えられている。これにより、開閉扉５−１を開閉させるときに、分割扉部５−１ａ，５−２ｂは、速やかに折畳まれようにしている。
【００３２】
［第２の実施形態の説明］
図６は、第２の実施形態に係る換気用通風装置を示す横断平面図であり、図７は、同要部を切欠して示す斜視図である。
なお、第２の実施形態では、図６および図７に示すように、通風装置Ａ−２を構成する枠体１の両面に備えられる開閉扉５のうち、内側の開閉扉５を開閉する動作に連動して、外側の開閉扉５も開閉するように、扉開閉連動機構１１を新たに備えたものであり、その他の構成要素において第１の実施形態と基本的に同じことから同じ構成要素に同じ符号を付することにより説明は省略する。
【００３３】
≪扉開閉連動機構の構成≫
扉開閉連動機構１１は、所望な大きさにて平面視で略半円形状に形成されている一対の歯車１１ａ，１１ｂから構成されている。この一対の歯車１１ａ，１１ｂは、図６および図７に示すように、枠体１の上側の枠辺型材１ａに貫通状にそれぞれ備えられる枢軸に対し、回転中心部が取り付けられる。
つまり、観音開き方式の開閉扉５を、枠体１の両面にそれぞれ開閉可能に取り付けるために、枠体１の上側の枠辺型材１ａに貫通状にそれぞれ備えられる枢軸１２に固定的に取り付けられている。
これにより、例えば、内側（図６の紙面上側）の開閉扉５を開閉させることで、この開閉の動作に連動して外側（図６の紙面下側）の開閉扉５も開閉するものである。
【００３４】
なお、図５および図６に示すように、扉開閉連動機構１１を介して、内側と外側の開閉扉５を連動させて開閉させる第２の実施形態に係る通風装置Ａ−１では、枠体１の上に、枠体１の幅よりも広い横長のギアボックス１−１を備えて、このギアボックス１−１内においてそれぞれの枢軸１２に対して一対の歯車１１ａ，１１ｂを取り付けるようにする。
また、図示を省略しているが、ギアボックス１−１を枠体１の下に備えて、一対の歯車１１ａ，１１ｂを内設（内臓）させるようにするもよく、任意である。
【００３５】
≪通風装置の他の構成形態の説明≫
図８は、扉開閉連動機構を備えている第２の実施形態に係る通風装置の他の構成形態の要部を切欠して示す斜視図である。
この通風装置Ａ−２では、一対の歯車１１ａ，１１ｂからなる扉開閉連動機構１１の一方の歯車、例えば歯車１１ａが固定的に取り付けられている枢軸１２側に、開閉駆動機である電動モータ１３の出力軸を直結させて同軸上に連結させるように、電動モータ１３をギアボックス１−１内に内設させた構成としている。これにより、内外の開閉扉５を電動方式によって、自動的に開閉させることができる。
電動モータ１３は、正転と逆転との切り替えが可能である。
【００３６】
なお、図示を省略しているが、電動モータ１３のＯＮ／ＯＯＦ並びに正転と逆転とを電気的に切り替えるための制御手段をギアボックス１−１内に内設させ、さらに、この制御手段には、電動モータ１３のＯＮ／ＯＯＦ並びに正転と逆転との切り替えを行うための信号を受信するための受信部を備えるなどによって、有線または無線によるリモコン操作で内外の開閉扉５の開閉を可能とすることができる。
また、内外両側の開閉扉５を電動方式によって開閉させる開閉駆動機として、電動モータ１３に代えて、電動アクチュエータを使用することができる。
【００３７】
［第３の実施形態の説明］
図９は、第３の実施形態に係る換気用通風装置を示す横断平面図であり、図１０は、同通風装置を、室内側から見たときの一部を示す正面図であり、図１１は、要部を拡大して示す分解斜視図である。
この第３の実施形態では、図９および図１０に示すように、通風構造体３の内部の要所に送風機１４をそれぞれ備えている。そして、通風構造体３は、縦割りされた分割構造体３−１，３−２から構成されるようにしている。
なお、この第３の実施形態に係る通風装置Ａ−３では、前記した以外の構成要素においては第１の実施形態と基本的に同じことから、同じ構成要素に同じ符号を付することにより重複説明は省略する。
【００３８】
≪送風機の構成≫
送風機１４は、ファン１４ａと、このファン１４ａが取り付けられる電動モータ１４ｂを備えている。この送風機１４は、図９および図１０に示すように、通風構造体３の要所において内設されて、通風孔５を通して室内空間の給気と排気との強制排気を行うように構成されている。
【００３９】
≪通風構造体の構成≫
通風構造体３は、ハニカムコアの構造材を用いて枠体１内に収まる程度の大きさに形成され、かつ、幅方向（通風孔２が開口する両面方向）において略半々に２分割された分割構造体３−１，３−２から構成されている。つまり、分割構造体３−１，３−２を合わせた状態で、各辺外周の嵌合部７により枠体１内に定着させて内在させるように構成されている。
【００４０】
そして、通風構造体３は、分割構造体３−１側の合わせ面における上下左右方向において隣接して開口する通風孔２群、図１１では三方において開口する通風孔２の孔区画壁２ａの各交差点（交差部）Ｐを中心として、同心円状の凹部１５が形成されるように三方の孔区画壁２ａを切欠することによって、送風機１４の電動モータ１４ｂを内在させるようにしている。
【００４１】
凹部１５は、電動モータ１４ｂのボディーを、支持筒体１６を介して支持させるように、該支持筒体１６の外径よりも小さめの口径にて、かつ、ボディーの長さに相当する深さにて分割構造体３−１側に形成される。
これにより、図１１に示すように、支持筒体１６の周面三方の等間隔において筒方向に伸びるように備えられている溝部１７を、凹部１５を構成するように三方に存在している各孔区画壁２ａの切欠口縁に合わせて差し込み係止させることにより、電動モータ１４を凹部１５内に支持させることができる。
つまり、電動モータ１４を保持させた支持筒体１６の溝部１７を各孔区画壁２ａの切欠口縁に合わせて係止させるように差し込むという簡単な組み付けによって、電動モータ１４を分割構造体３−１の合わせ面において開口されている各凹部１５内にそれぞれ支持させて内設させることができる。
【００４２】
また、各凹部１５の底側における各孔区画壁２ａには、図１１に示すように、ストッパー１５ａが備えられている。これにより、ストッパー１５によって支持筒体１６の端部が受け止められることで、各凹部１５内に内設される電動モータ１４ｂの支持位置に規制されるようになっている。
【００４３】
そして、もう一方の分割構造体３−２側の合わせ面において開口している通風孔２の孔区画壁２ａの交差点（交差部）Ｐを中心として、同心円状の凹部１８が形成されるように孔区画壁２ａを切欠することによって、送風機１４のファン１４ａを内在させるようにしている。
【００４４】
凹部１８は、送風機１４のファン１４ａが、通風孔の孔区画壁２ａに接触することなく回転し得るように、該ファン１４ａの大きさに相当する口径と深さにて分割構造体３−１側に形成されている。
【００４５】
このように、多数の凹部１５を合わせ面側にそれぞれ備えている分割構造体３−１によれば、図１１に示すように、支持筒体１６の周面三方において筒方向に備えられている溝部１７を、凹部１５を構成するように三方に存在している各孔区画壁２ａの切欠口縁に対向位置させた状態で、支持筒体１６を凹部１５内に差し込むという組み付けによって、送風機１４の電動モータ１４ｂを分割構造体３−１の各凹部１５内にそれぞれ支持させて内設させることができる。
そして、凹部１５と対向するように合わせ面側に凹部１８をそれぞれ備えている分割構造体３−２の合わせ面を、分割構造体３−１の合わせ面に対して合致させることによって、電動モータ１４ｂの出力軸に取り付けられているファン１４を、接触などを起すことなく回転するように分割構造体３−２の各凹部１８に内設させることができる。
これにより、図９および図１０に示すように、分割構造体３−１，３−２から構成される通風構造体３の内部における三方において開口する各通風孔２を通して室内空間の給気と排気との強制換気をそれぞれ行うための送風機１４を組み込み内設させることができる。
【００４６】
なお、第３の実施形態に係る通風装置Ａ−２においては、送風機１４をファン１４ａと、このファン１４ａが個々に取り付けられて駆動回転される電動モータ１４ｂとによって構成したが、図１０に示すように、横一列に並ぶ複数のファン１４ａに対し、一基の電動モータから回転駆動力を伝達することができるように構成することができる。
例えば、各ファン４ａを、図示省略の第１の傘歯車を一端側に備えている回転支軸の他端側に取り付け支持させて、この回転支軸を、前記した分割構造体３−２の合わせ面側に備えられている各凹部１８に回転可能に取り付け内設させる。そして、横一列に並ぶ各ファン４ａの回転支軸の軸芯背後において、各ファン間にわたるように動力伝達軸を前記した分割構造体３−１に備え、各第１の傘歯車に噛合させるための第２の傘歯車を、分割構造体３−１の合わせ面側に備えられている各凹部１５に位置する動力伝達軸の各所に備える。
そして、枠体１の左右一側の枠辺部材１ｂから突出させた動力伝達軸に電動モータの出力軸を直結させるように構成することにより、横一列に並ぶ複数のファン１４ａに対し、一基の電動モータから回転駆動力を伝達することができる。
【００４７】
また、電動モータ１４ｂ、ファン１４ａの小型化によっては、送風機１４を、通風構造体３のそれぞれ個々の通風孔２に組み込み内設させることができる。つまり、多数の通風孔２におけるワンモータによる強制換気を可能にすることができる。
【００４８】
［第４の実施形態の説明］
つぎに、建物のガラス張り壁面のガラス支持柱に設けられる内外流通部に装着される第４の実施形態に係る換気用通風装置について、図１２および図１３を適宜参照しながら説明する。
図１２は、ガラス支持柱に装着された通風装置の横断平面図であり、図１３は、ガラス支持柱によってガラス張りされたガラス張り壁面の概略正面図および横断面図である。
なお、第４の実施形態の通風装置Ａ−３においては、枠体１９および通風構造体２０の形態と、開閉扉５−２を連動させる扉開閉連動機構２１の形態を変えた以外の構成においては、前記の第１〜第３の実施形態に係る通風装置Ａ，Ａ−１，Ａ−２と基本的に同じことから同じ構成要素に同じ符合を付することで重複説明は省略する。
【００４９】
≪通風装置の構成≫
つまり、通風装置Ａ−３は、図１２に示すように、Ｈ型鋼材からなるガラス支持柱Ｃの両側凹部２２に嵌め込み装着される横断面視で略コの字形状の枠体１９と、この枠体１９内に装着される同じく横断面視で略コの字形状の通風孔を有する通風構造体２０とを備えて構成されている。
そして、通風装置Ａ−３は、通風構造体２０の通風孔２３からの風雨などの浸入を防ぐための片開き方式の開閉扉５−２を、複合ガラス２４を挟む内外の両面開口にそれぞれ備えている。
また、通風装置Ａ−３は、図示を省略しているが、前記の第１〜第３の実施形態において詳述した網部材４を、通風構造体２０の内外両側面に取り外し可能に備えている。
【００５０】
なお、ガラス支持柱Ｃは、Ｈ型鋼材の他に、Ｔ字型鋼材或いはコの字型鋼材などを用いて形成される。
【００５１】
≪枠体の構成≫
枠体１９は、ガラス支柱柱Ｃの高さ方向の略全高にわたる、または、その高さ方向の半分程度の高さにわたる長さで、横断面が略コの字形状に形成されている。
つまり、斯かる実施形態では、枠体１９を、ガラス支持柱Ｃの両側凹部２２に対する複合ガラス２４の取り付けによって、複合ガラス２４の取り付け縁と両側凹部２２との間にそれぞれ設けられる内外流通部ｃ内に嵌め込み装着される横断面視形状で、ガラス支持柱Ｃの高さ全高、または、その高さ方向の半分程度の長さに形成している。
【００５２】
≪通風構造体の構成≫
通風構造体２０は、アルミ材や合成樹脂材などの所望な成形材料から成形されているハニカムコアの構造材を用いて、枠体２０の横断面形状内に収まる同じく略コの字形状に形成されている。
これにより、通風構造体２０は、図１２に示すように、複合ガラスを挟んで内外に連通させる横断面視で略コの字形状の通風孔２５を、枠体１９内を埋め尽くすように多数備えている。
【００５３】
≪扉開閉連動機構の構成≫
扉開閉連動機構２１は、図１２に示すように、片開き式の内側と外側の開閉扉５−２の枢軸２６を、平面視で略Ｕ字形状に連繋するように配列される複数の歯車２１ａから構成されている。
この複数の歯車２１ａは、前記の第２の実施形態において詳述したように、ガラス支持柱Ｃの上端または下端、或いは高さ方向中央部に位置する枠体１−１の上端または下端において設けられているギアボックス２７内に設けられている。
【００５４】
そして、図示を省略しているが、内外両側の開閉扉５−２に枢軸２６を介して取り付けられる内外の歯車２１ａのうち、いずれか一方側の歯車２１ａの枢軸２６に直結させた同軸上の連結状態で、前記の第２の実施形態において詳述の開閉駆動機である電動モータ１３を備えている。
これにより、内外両側の開閉扉５−２を電動方式によって開閉させることができるようにしている。
【００５５】
また、図示を省略しているが、前記の第３の実施形態において詳述の送風機１４を通風構造体２０に備えている。これにより、室内空間の吸気と排気とを強制換気によって行うことができるようにしている。
【００５６】
以上のように、ガラス支持柱Ｃに組み込み装着されて、複合ガラス２４を挟んで内外に連通させた通風孔２５を備えている通風装置Ａ−３によれば、図１２に示すように、Ｈ型構材からなるガラス支柱Ｃの両側凹部２２の内外流通部ｃに装着される枠体１９内の横断面視で略コの字形状を呈する開口略全域を埋め尽くすように配設されている通風孔２５群を通して、室内空間の自然換気、または、強制換気が行われる。
つまり、図１３の（ｂ）に示すように、内外の開閉扉５−２が開かれているときに、通風構造体２０に横断面視で略コの字形状に備えられている多数の通風孔２５群を通して室内空間の自然換気、または、強制換気を行うことができる。
【００５７】
また、この第４の実施形態に係る通風装置Ａ−３では、図示を省略しているが、前記の第３の実施形態において詳述の送風機１４を通風構造体２０に備えることにより、室内空間を強制換気することができる。
【００５８】
なお、本発明の実施形態の具体的な構成は、前記した実施形態に限られるものではなく、請求項１から請求項８に記載の本発明の要旨を逸脱しない範囲で設計変更などがあっても本発明に含まれるものである。
例えば、枠体１の形状を、玄関扉などの出入り扉、窓框、窓枠、そしてガラス支持柱Ｃとの外観的なデザインなどを考慮した上で、縦長や横長などの矩形形状、そして円形、さらには菱形などの異形形状などに形成することができる。
また、枠体１を形成する各枠辺型材１ａ，１ｂの断面（輪切り断面）を略Ｈ型形状や、建物の躯体壁Ｂや出入り扉などに設けられる内外流通部ｂの内外流通開口形状などに合わせた適宜の断面形状に形成することができる。
【００５９】
また、通風孔２，２５の内外開口を開閉するように枠体１に備えられる内外の開閉扉５，５−１，５−２を開閉させるための扉開閉連動機構１１，２１は、ラックとピニオンとによって構成することができる。
【００６０】
また、複数に間仕切りされている建物の室内空間毎の躯体壁Ｂや出入り扉などに取り付けられる前記した第２の実施形態に係る通風装置Ａ−１、そして、第３の実施形態に係る通風装置Ａ−２においては、扉開閉連動機構１１を動作させる電動モータ１３を正転または逆転させるための扉開信号または扉閉信号をそれぞれ個々に出力するための制御装置と、この制御装置が、扉開信号または扉閉信号を出力するタイミングを決定するために、屋外などに設置される風圧計や風向計とを組み合わせた構成とすることができる。
【００６１】
そして、通風構造体３，２０の通風孔２，２５を通して室内空間を強制換気するために、通風構造体３，２０の内部に備えられている送風機１４による給気と排気とを替えるための給・排気切替え装置をさらに組み合わせて、電動モータ１４ｂの正転と逆転を切り替える。
つまり、送風機１４に給気信号または排気信号を出力するための制御装置からの前記の各信号に基づいて、送風機１４による室内空間毎の給気と排気とが自動的に切り替えられるように構成することができる。
【図面の簡単な説明】
【００６２】
【図１】建物の躯体壁に装着された第１の実施形態に係る換気用通風装置を示す横断平面図である。
【図２】同通風装置を分解した状態を示す斜視図である。
【図３】同通風装置を構成する通風構造体の枠体に対する取付け状態を示す要部の拡大斜視図である。
【図４】通風構造体の他の実施形態を示す斜視図である。
【図５】第１の実施形態に係る換気用通風装置において、開閉扉の他の実施形態を示す横断平面図である。
【図６】第２の実施形態に係る換気用通風装置を示す横断平面図である。
【図７】同換気用通風装置の要部を切欠して示す斜視図である。
【図８】扉開閉連動機構を備えている第２の実施形態に係る通風装置の他の構成形態の要部を切欠して示す斜視図である。
【図９】第３の実施形態に係る換気用通風装置を示す横断平面図である。
【図１０】同通風装置を、室内側から見たときの一部を示す正面図である。
【図１１】同通風装置の通風構造体の要部を拡大して示す斜視図である。
【図１２】建物のガラス張り壁面のガラス支持柱に装着された第４の実施形態に係る換気用通風装置を示す横断平面図である。
【図１３】（ａ）は、ガラス支持柱によってガラス張りされたガラス張り壁面を示す概略正面図であり、（ｂ）は、（ａ）のｂ−ｂ線拡大横断面図である。
【符号の説明】
【００６３】
Ａ，Ａ−１，Ａ−２，Ａ−３  通風装置
１，１９  枠体
２，２５  通風孔
３，２０  通風構造体（ハニカムコアの構造材、筒結合構造材）
４      網部材
５，５−１，５−２  開閉扉
１１，２１  扉開閉連動機構
１１ａ，１１ｂ，２１ａ  歯車
１３    電動モータ（開閉駆動機）
１４    送風機
１４ａ  ファン
１４ｂ  電動モータ
Ｂ      躯体壁
Ｃ      ガラス支持柱
ｂ，ｃ  内外流通部
【図１】
2008232608.tif 000003
【図２】
2008232608.tif 000004
【図３】
2008232608.tif 000005
【図４】
2008232608.tif 000006
【図５】
2008232608.tif 000007
【図６】
2008232608.tif 000008
【図７】
2008232608.tif 000009
【図８】
2008232608.tif 000010
【図９】
2008232608.tif 000011
【図１０】
2008232608.tif 000012
【図１１】
2008232608.tif 000013
【図１２】
2008232608.tif 000014
【図１３】
2008232608.tif 000015